(57)【特許請求の範囲】
【請求項１】
連結すべき２本の鉄筋と、２つの継手パイプと、１本の接続ボルトとから構成してあり、
上記２つの継手パイプの一端部には、それぞれ上記鉄筋の先端部が連結してあり、
上記２つの継手パイプの内周面には、相互に逆方向の雌ねじ部が形成してあり、かつ、この継手パイプの一方の雌ねじ部は一条ねじ、他方の雌ねじ部は多条ねじであり、
上記接続ボルトには、その中央部から左右端部に向けて相互に逆方向の雄ねじ部が形成してあり、かつ、この雄ねじ部の一方は一条ねじ、他方は多条ねじであり、
上記接続ボルトの一条ねじのねじ部は、上記継手パイプの一条ねじのねじ部に螺合可能であり、
上記接続ボルトの多条ねじのねじ部は、上記継手パイプの多条ねじのねじ部に螺合可能である
ことを特徴とする鉄筋の継手構造。
【請求項２】
請求項１に記載の鉄筋の継手構造をおいて、最初に一条ねじ同士の継手パイプと接続ボルトとをゲージを用いて所定長残して接続させ、その後で、一条ねじ同士の継手パイプと接続ボルトと多条ねじ同士の継手パイプと接続ボルトとを同時に接続させる
ことを特徴とする鉄筋の連結方法。
【発明の詳細な説明】
【０００１】
【発明の属する技術分野】
本発明は土木、建築現場における異形鉄筋同士を付き合わせて連結する鉄筋の継手構造及びこの継手構造における鉄筋の連結方法に関するもので、例えば鉄筋コンクリート造、鉄骨鉄筋コンクリート造の構造物を構築する場合、軸方向に移動ができる主筋の連結に使用されるものである。
【０００２】
【従来の技術】
従来から、軸方向に移動できる異形鉄筋の継手構造は、連結すべき２本の異形鉄筋の一端はそれぞれ継手パイプに挿入して予め圧着してあり、この両継手パイプは一本の接続ボルトにより連結されるものである。
【０００３】
【発明が解決しようとする課題】
しかし、両継手パイプを接続ボルトで連結するとき、左右の異形鉄筋に予め固着してある２つの継手パイプと接続ボルトとの３つの部材の各軸心を同時に軸合わせて、この状態を保持しながら、この接続ボルトを両継手パイプに螺入させることによりこの両継手パイプを軸方法に引き寄せて連結するため、その作業が困難であり、作業効率に問題があった。
【０００４】
そこで、本発明の目的は鉄筋の連結作業が簡単で、作業効率を向上させた鉄筋の継手構造及びこの継手構造における鉄筋の連結方法を提供することにある。
【０００５】
【課題を解決するための手段】
本発明に係る鉄筋の継手構造の特徴は、連結すべき２本の鉄筋と、２つの継手パイプと、１本の接続ボルトとから構成してあり、上記２つの継手パイプの一端部には、それぞれ上記鉄筋の先端部が連結してあり、上記２つの継手パイプの内周面には、相互に逆方向の雌ねじ部が形成してあり、かつ、この継手パイプの一方の雌ねじ部は一条ねじ、他方の雌ねじ部は多条ねじであり、上記接続ボルトには、その中央部から左右端部に向けて相互に逆方向の雄ねじ部が形成してあり、かつ、この雄ねじ部の一方は一条ねじ、他方は多条ねじであり、上記接続ボルトの一条ねじのねじ部は、上記継手パイプの一条ねじのねじ部に螺合可能であり、上記接続ボルトの多条ねじのねじ部は、上記継手パイプの多条ねじのねじ部に螺合可能であるところにある。
【０００６】
また、本発明に係る鉄筋の連結方法の特徴は、前記特徴を有する鉄筋の継手構造をおいて、最初に一条ねじ同士の継手パイプと接続ボルトとをゲージを用いて所定長残して接続させ、その後で、一条ねじ同士の継手パイプと接続ボルトと多条ねじ同士の継手パイプと接続ボルトとを同時に接続させるところにある。
【０００７】
【発明の実施の形態】
そこで、本発明の実施の形態を図面を参照して説明すると、図１に示すように、連結すべき２本の異形鉄筋１，２と、２つの継手パイプ３，４と、１本の接続ボルト５とから構成してある。２つの継手パイプ３，４のそれぞれの外端には、鉄筋１，２の先端部が予め挿入されて圧着して連結してある。
【０００８】
２つの継手パイプ３，４の内端部の内周面には、それぞれ雌ねじ部３ａ，４ａが刻設してあり、さらに、この両雌ねじ部３ａ，４ａは相互に逆方向に形成してあり、かつ、この継手パイプの一方３の雌ねじ部３ａは一条ねじ、他方４の雌ねじ部４ａは多条ねじの四条ねじであり、
【０００９】
接続ボルト５には、その中央部から左右端部に向けて相互に逆方向の雄ねじ部５ａ，５ｂが形成してあり、さらに、この雄ねじ部の一方５ａは一条ねじ、他方５ｂは多条ねじの四条ねじである。接続ボルト５は図２、図３に示すように、中央部にトルクコントロールピン６が植設してあり、このピンに係合する係合溝７ａが形成してある締付けリング７が取り付けてある。
【００１０】
そして、接続ボルト５の一条ねじの雄ねじ部５ａは一方の継手パイプ３の一条ねじの雌ねじ部３ａに螺合可能であり、また、この接続ボルトの四条ねじのねじ部５ｂは他方の継手パイプ４の四条ねじのねじ部４ａと螺合可能である。
【００１１】
次に、本発明による異形鉄筋１，２の連結作業について説明する。図１の状態において、先ず、一方の継手パイプ３と接続ボルト５の軸心を合わせ、この接続ボルトの左半部の一条ねじである雄ねじ５ａを、締付けリング７を回転させることにより、この継手パイプの一条ねじである雌ねじ３ａに螺入する。この時、図４に示すように雄ねじ５ａの４分の１は螺入させないで残す。この４分の１のねじ部を残すには、ゲージ８を用いると便利である。次に、ゲージ８を外し、四条ねじの雄ねじ部５ｂを他方の継手パイプ４の軸心に合わせ、締付けリング７を回転させ、この雄ねじ部５ｂを継手パイプ４の雌ねじ部４ａに螺入する。これと同時に、接続ボルト５の残りの４分の１のねじ部５ａも継手パイプ３に螺入し、そのため、両雄ねじ部５ａ，５ｂはそれぞれ継手パイプ３，４に完全に螺入し螺合する。そして、この時の締付けリング７の回転数は４分の１、即ち、１／多条の整数の回転数で済む。
【００１２】
前記実施例では、多条ねじとして四条ねじを示したが、その他の多条ねじも選択できる。
【００１３】
【発明の効果】
本発明によると、連結作業が最初に一条ねじの一方の継手パイプと接続ボルトとの２部品の軸心を合わせて所定長残して螺合して連結し、次に、多条ねじの他方の継手パイプと接続ボルトとの２部品の軸心を合わせて螺合して、前記残りの一条ねじの一方の継手パイプと接続ボルトと同時に連結するので、従来のように、両継手パイプと接続ボルトとの３部材を同時に軸心合わせする必要がなく、そのため連結作業が容易になり、作業効率が向上する。特に、最初に一条ねじの一方の継手パイプと接続ボルトとの２部品の軸心を合わせて所定長残して螺合して連結するのにゲージを用いると、この所定長残して正確に連結させるのが容易になる。
【図面の簡単な説明】
【図１】  異形鉄筋、継手パイプ、接続ボルトによる接続構造の展開図である。
【図２】  接続ボルトの拡大正面図である。
【図３】  図２に示す接続ボルトの断面図である
【図４】  異形鉄筋の接続途中の状態を示す正面図である。
【符号の説明】
１，２      鉄筋
３，４      継手パイプ
３ａ        一条ねじの雌ねじ部
４ａ        多条ねじの雌ねじ部
５          接続ボルト
５ａ        一条ねじの雄ねじ部
５ｂ        多条ねじの雄ねじ部
【図１】
0003678358.tif 000002
【図２】
0003678358.tif 000003
【図３】
0003678358.tif 000004
【図４】
0003678358.tif 000005